(57)【特許請求の範囲】
【請求項１】
遊技者の操作する操作部からの信号が入力される所定の中継基板と、この中継基板を開閉可能に収容する二つの部材と、所定のピン材を介して前記各部材同士を開閉不能に封止する封止部と、を備える基板封止装置を、前記操作部を有する扉体の裏面に配置する遊技機であって、
前記封止部は、
前記各部材に設けられ、前記部材の閉状態で前記ピン材が挿通可能に連通し、前記部材の開閉方向とほぼ直交する方向に開口する開口部と、
前記各開口部に挿通された前記ピン材を脱抜不能に係止させる係止部と、を備え、
前記各開口部は、一方の部材側開口部が他方の部材側開口部を挟むように配置され、
当該封止部は、前記各部材の左右両端部に形成され、
前記ピン材は、それぞれの封止部に対して、前記基板封止装置外部から内部に向かう、ほぼ水平方向に沿った押し込み操作により前記各係止部に係止され、
前記基板封止装置は、
少なくとも一方の前記部材に形成された前記封止部と当該部材との接合部を、所定の切断工具で切断可能に形成するとともに、
いずれか一方の前記部材側に、挿通した前記ピン材の先端側に位置する第一の前記開口部と、挿通した前記ピン材の後端側に位置する第二の前記開口部とを形成し、他方の前記部材側開口部を第一の前記開口部と第二の前記開口部との間に配置し、
前記他方の部材側に前記係止部を設けるともに、この部材側の前記接合部を切断可能に形成し、
第一の前記開口部と第二の前記開口部との間に、切断された前記他方の部材側の封止部が第二の前記開口部側にスライド可能なスペースを設け、このスペースを前記ピン材が第一の前記開口部から脱抜される長さとし、
前記接合部を切断することで前記各部材が開閉可能となることを特徴とする遊技機。
【発明の詳細な説明】
【技術分野】
【０００１】
本発明は、所定の基板を開閉不能に封止する基板封止装置を備える遊技機に関し、特に、遊技者の操作する操作部からの信号が入力される中継基板を開閉不能に封止する基板封止装置を備える遊技機に関する。
【背景技術】
【０００２】
遊技者の操作する操作部からの信号が入力される所定の中継基板を備える遊技機が知られている。例えば、スロットマシンは、リールの回転を始動させるスタートレバーやリールの回転を停止させる停止ボタン等の操作具が配置される操作部を備え、これらの操作部には、遊技者の操作を検出するスイッチ等が設けられている。
そして、これらのスイッチにおいて検出された入力信号が、スイッチに接続された接続ケーブルを介して、所定の中継基板に入力され、さらに中継基板から、接続ケーブルを介して、遊技機を制御する主基板に入力されることで、主基板に遊技者の入力操作が伝達され、一連の遊技が進行するようになっている。
【０００３】
近年、上記の中継基板を標的とする不正行為が増えている。例えば、スロットマシンでは、遊技者の操作に伴う所定の信号を擬似的に発生させる、いわゆる「打ち込み機」と称する不正部品が、コネクタを介して取り付けられる場合がある。
「打ち込み機」は、これらの遊技者の操作に係る入力信号を擬似的に発生させる不正部品で、中継基板に設けられたコネクタから正規なコネクタを脱抜し、替わりに「打ち込み機」からの擬似信号を入力するコネクタを装着し、この擬似信号を主基板に入力することで、一連の遊技を自動で進行させるものである。
その結果、例えば、ビッグボーナスの当せんを検出したときに、「打ち込み機」の作動を停止し、このままの状態で遊技場を開店させ、遊技者に当該遊技機を提供する、いわゆる「モーニングサービス」と称するサービスを行なう遊技場も存在する。このような行為は、遊技者の射幸心を悪戯に仰ぎ、遊技資金の過剰な投資を招く一因にもなっている。
【０００４】
そこで、操作部を有する扉体の裏面に配置された中継基板をカバー部材で覆うとともに、所定のピン材（かしめ部材）を用いてカバー部材を着脱不能にする基板封止装置が提案されている（例えば、特許文献１参照）。
このような基板封止装置によれば、カバー部材の取り外しに際してピン材の切断又は破壊が要求され、この切断跡又は破壊跡がカバー部材を取り外した痕跡として残るので、不正行為の隠蔽が困難になるとともに、不正行為が行われても、切断跡又は破壊跡の確認により、その事実を発見することが可能になる。
【先行技術文献】
【特許文献】
【０００５】
【特許文献１】特開２００９−５６０６７号公報
【発明の概要】
【発明が解決しようとする課題】
【０００６】
しかしながら、従来の基板封止装置では、以下のような弊害も生じていた。
ピン材を用いてカバー部材を着脱不能にする従来の基板封止装置では、ピン材が、複数の開口部に亘って挿通させて係止されているものの、カバー部材を強引に取り外そうとする外力に対しては、片持ち梁と同様な状態となり、自由端側に継続的な外力が加わることで、ピン材が曲がり、脱落するおそれがあった。
特に、特許文献１に示されるように、基板面に対して垂直方向に沿う一本のピン材でカバー部材を着脱不能に封止するものでは、カバー部材の取付ガタ等を利用して比較的容易にピン材に外力を加えることができるので、不正に開封される可能性が高かった。
【０００７】
また、基板封止装置は、通常、ニッパー等の切断工具でピン材を切断又は破壊することで、封止状態を解除するようになっている。
基板封止装置は、基板に対する不正改造を確認するなど合法的な目的で開封する場合もあるため、再封止するための予備のピン材を複数備えている。
しかしながら、この予備のピン材は、遊技機に予めセットされているため、これを取り外して偽造される場合があった。偽造品が出回ると、再封止が容易にできてしまうことから、不正行為を誘発させるおそれがあった。
【０００８】
本発明は、以上のような問題を解決するために提案されたものであり、中継基板を開閉可能に収容する二つの部材を、所定のピン材を介して開閉不能に封止するものでありながら、各部材を介してピン材に外力を加えても、極めて高い封止力により封止状態を保ち、各部材の不正な開放を確実に防止することができる基板封止装置を備える遊技機の提供を目的とする。
【課題を解決するための手段】
【０００９】
上記目的を達成するため本発明の遊技機は、遊技者の操作する操作部からの信号が入力される所定の中継基板と、この中継基板を開閉可能に収容する二つの部材と、所定のピン材を介して前記各部材同士を開閉不能に封止する封止部と、を備える基板封止装置を、前記操作部を有する扉体の裏面に配置する遊技機であって、前記封止部は、前記各部材に設けられ、前記部材の閉状態で前記ピン材が挿通可能に連通し、前記部材の開閉方向とほぼ直交する方向に開口する開口部と、前記各開口部に挿通された前記ピン材を脱抜不能に係止させる係止部と、を備え、前記各開口部は、一方の部材側開口部が他方の部材側開口部を挟むように配置され、当該封止部は、前記各部材の左右両端部に形成され、前記ピン材は、それぞれの封止部に対して、前記基板封止装置外部から内部に向かう、ほぼ水平方向に沿った押し込み操作により前記各係止部に係止される構成としてある。
【発明の効果】
【００１０】
以上のように、本発明によれば、中継基板を開閉可能に収容する二つの部材を、所定のピン材を介して開閉不能に封止するものでありながら、各部材を介してピン材に外力を加えても、極めて高い封止力により封止状態を保ち、各部材の不正な開放を確実に防止することができる。
【図面の簡単な説明】
【００１１】
【図１】本発明の一実施形態に係るスロットマシンの外観を示す概略斜視図である。
【図２】本発明の一実施形態に係るスロットマシンの内部構成を示す概略斜視図である。
【図３】本発明の一実施形態に係るスロットマシンの前扉を示す分解斜視図である。
【図４】本発明の一実施形態に係る基板封止装置の斜視図である。
【図５】本発明の一実施形態に係る基板封止装置の正面図である。
【図６】本発明の一実施形態に係る基板封止装置の分解斜視図である。
【図７】本発明の一実施形態に係る基板封止装置の封止ピンを示す平面図である。
【図８】本発明の一実施形態に係る基板封止装置のカバー部材（表側）を示す斜視図である。
【図９】本発明の一実施形態に係る基板封止装置のカバー部材（裏側）を示す斜視図である。
【図１０】本発明の一実施形態に係る基板封止装置の封止ピン、第一開口部及び第二開口部を示す斜視図である。
【図１１】本発明の一実施形態に係る基板封止装置の封止操作手順を示すＡ−Ａ断面図であり、（ａ）は、カバー部材を取り付ける前の状態を示す図であり、（ｂ）は、カバー部材を仮止めした状態を示す図であり、（ｃ）は、封止ピンを開口部に押し込んで封止した状態を示す図である。
【図１２】本発明の一実施形態に係る基板封止装置の封止操作手順を示すＡ−Ａ断面斜視図であり、（ａ）は、カバー部材を仮止めした状態を示す図であり、（ｂ）は、封止ピンを開口部に押し込んで封止した状態を示す図である。
【図１３】本発明の一実施形態に係る基板封止装置の開封操作手順を示すＡ−Ａ断面斜視図であり、（ａ）は、封止部の接合部を切断した状態を示す図であり、（ｂ）は、分断した封止部をスライドさせた状態を示す図であり、（ｃ）は、分断した封止部を封止ピンごと取り出した状態を示す図である。
【発明を実施するための形態】
【００１２】
以下、本発明の実施形態について説明する。
遊技機には、パチンコ機、スロットマシン、アレンジボール、雀球など様々な機類があるが、本実施形態では、メダルを遊技媒体とするスロットマシンに本発明に係る基板封止装置を適用した場合について、図面を参照しつつ説明する。
【００１３】
［スロットマシン本体］
図１は、本発明の一実施形態に係るスロットマシンの外観を示す概略斜視図、図２は、本発明の一実施形態に係るスロットマシンの内部構成を示す概略斜視図である。
これらの図に示すように、本実施形態のスロットマシン１００は、複数のリール１２１ａ，１２１ｂ，１２１ｃを回転させることによって遊技媒体であるメダルを獲得することができる回胴式遊技機を構成している。
【００１４】
スロットマシン１００は、内部がマイクロコンピュータ等で構成された制御部１３０及び必要な機械、装置等を収納する正面側が開口した筐体１００ｂと、筐体１００ｂの正面側を開閉可能に覆う前扉１００ａとで構成されている。
【００１５】
前扉１００ａは、図２に示すように、スロットマシン１００の筐体１００ｂにヒンジ等を介して開閉可能に取り付けられる扉体で、この前扉１００ａに遊技操作に係る操作部１４０が設けられて、スロットマシン１００の正面部を構成している。
【００１６】
操作部１４０には、メダルが投入されるメダル投入口１４１と、各リール１２１ａ，１２１ｂ，１２１ｃの回転を始動させるスタートレバー１４２と、回転している各リール１２１ａ，１２１ｂ，１２１ｃを停止させる３つの停止ボタン１４３ａ，１４３ｂ，１４３ｃが設けられている。
【００１７】
前扉１００ａには、各リール１２１ａ，１２１ｂ，１２１ｃに表示された図柄を視認可能とする表示窓１５０が、例えば操作部１４０の上側に設けられる。また、前扉１００ａには、効果音等が出力されるスピーカ１６０が、例えば操作部１４０の下側に設けられる。
【００１８】
筐体１００ｂの中央には、リール１２１ａ，１２１ｂ，１２１ｃと、各リール１２１ａ，１２１ｂ，１２１ｃを回転させる図示しないモータ及び回転位置を検出するセンサ等を備えるドラムユニット１２０が設けられる。
【００１９】
また、筐体１００ｂの下部には、メダルを貯留・払出するメダル払出装置１８０が設けられる。メダル払出装置１８０には、メダルを貯留するホッパー１８１が設けられ、メダル投入口１４１より投入されたメダルは、メダルセレクタ１８２により検出されるとともに、ホッパー１８１に誘導されるようになっている。
【００２０】
スロットマシン１００では、遊技者によりメダル投入口１４１からメダルが投入され、スタートレバー１４２が操作されると、スタート信号が制御部１３０に入力される。スタート信号が入力されると、制御部１３０では、所定の遊技プログラムに従いドラムユニット１２０を駆動して、各リール１２１ａ，１２１ｂ，１２１ｃを回転させる制御を行う。
【００２１】
さらに、制御部１３０では、例えばボーナスや小役等を抽せんする内部抽せんが行われ、各停止ボタン１４３ａ，１４３ｂ，１４３ｃが押下操作されたタイミングに基づき、抽せん結果に応じた図柄の組合せで停止するよう、回転している各リール１２１ａ，１２１ｂ，１２１ｃの停止制御を行う。
【００２２】
また、制御部１３０は、各リール１２１ａ，１２１ｂ，１２１ｃを所定の図柄の組合せで停止させると、メダル払出装置１８０で所定数のメダルを払い出す制御を行い、メダルをメダル払出口１８３から払い出す。
【００２３】
［中継基板］
図３は、本発明の一実施形態に係るスロットマシンの前扉を示す分解斜視図である。
図２及び図３に示すように、中継基板２は、前扉１００ａの裏面側であって、操作部１４０に対応する位置に配置されている。中継基板２は、遊技者の操作する操作部１４０からの信号が入力される基板であり、具体的には、スタートレバー１４２や停止ボタン１４３ａ，１４３ｂ，１４３ｃの操作を検出するスイッチ、メダルセレクタ１８２に備えるメダル検出スイッチ等からの信号が入力される。
そして、中継基板２に入力された信号は、コネクタ２ａ−１と接続される図示しない接続ケーブルを介して、スロットマシン１００を制御する制御部１３０に入力されることで、制御部１３０に遊技者の入力操作が伝達され、一連の遊技が進行するようになっている。
【００２４】
このような中継基板２は、不正行為の標的となりうる基板であり、例えば、「打ち込み機」と称する不正部品が、コネクタを介して取り付けられる場合がある。
そこで、本実施形態のスロットマシン１００では、中継基板２を基板封止装置１に収容するとともに、基板封止装置１を開閉不能に封止することにより、中継基板２に対する不正行為を防止している。
以下、本実施形態の基板封止装置１の構成について、図４〜図１３を参照しつつ説明する。
【００２５】
［基板封止装置］
基板封止装置１は、各図に示すように、中継基板２の部品実装面２ａ側を覆うカバー部材３と、半田面２ｂ側を覆うベース部材４を備えている。
ベース部材４は、表示窓１５０を囲む枠体（窓枠）として形成され、その下部側に中継基板２を収容する基板収容部４２が設けてある。基板収容部４２は、中継基板２を収容可能に凹設され、中継基板２はこの基板収容部４２内に所定のネジ６により固定される（図３、図６参照）。
カバー部材３は、部品実装面２ａを外部から視認可能かつ容易に破壊できない無色透明な合成樹脂（例えば、ポリカーボネート）で形成され、所定の接続ケーブルを接続するためのコネクタ孔３ａが開口されているとともに、閉状態（中継基板２を間に挟んでカバー部材３とベース部材４とを重合させた状態）でコネクタ２ａ−１を覆うコネクタカバー３ｃが形成されている（図４、図８参照）。
【００２６】
各部材３，４は、互に開閉不能に係合（仮止め）する係合部を備えている。本実施形態の係合部は、図６及び図９に示すように、カバー部材３側に形成された弾性変形する係合爪部３ｂと、ベース部材４に形成され、係合爪部３ｂと係合するベース部材４側に形成された被係合部（係合孔４ａ又は係合凸部４ｂ）とからなり、カバー部材３で基板封止装置１を閉じる際、係合爪部３ｂが変形状態で被係合部を通過し、復元状態で被係合部に裏側から係合することにより、各部材３，４が互に開閉不能に係合されるようになっている。これにより、カバー部材３をベース部材４に装着する際に、カバー部材３を係合部の係合により仮止めできるという利点があり、また、後述する封止部による封止後は、係合部の係合により外力に対する耐性を高め、封止ピン５による封止力をさらに増大させるようになっている。
【００２７】
また、基板封止装置１は、封止ピン５を介してカバー部材３とベース部材４とを開閉不能に封止する封止部を備えている。
具体的には、封止部は、カバー部材３とベース部材４の外縁から突出するカバー部材側封止部３０とベース部材側封止部４０とに形成される、カバー部材３とベース部材４の開閉方向と直交する方向に開口されるとともに、閉状態で封止ピン５が挿通可能に連通する開口部３１１，４１１，４１２と、各開口部３１１，４１１，４１２に挿通した封止ピン５が脱抜不能に係止される係止部３１ｂと、を備え、カバー部材３とベース部材４とを重合させた閉状態にして、封止ピン５を開口部４１２から挿入すると、封止ピン５が各開口部３１１，４１１，４１２に亘って挿通されるとともに、脱抜不能に係止部３１ｂに係止され、カバー部材３とベース部材４とが開閉不能に封止されるようになっている（図１１参照）。
以下、各部の構成を詳細に説明する。
【００２８】
カバー部材側封止部３０とベース部材側封止部４０は、各部材３，４の外縁から中継基板２とほぼ平行に突出する部位であり、本実施形態では、各部材３，４の左右両端部に設けてある。各封止部３０，４０にはそれぞれ閉状態で嵌合する凸部３１と凹部４１を形成してある。
凸部３１は、ベース部材４に向かって垂直に突出する部分で（図９参照）、この凸部３１には、開閉方向と直交する方向である中継基板２の基板面とほぼ平行、かつ、封止ピン５が挿通可能に開口された開口部３１１と、封止ピン５が係止される係止部３１ｂとを形成してある（図１１及び図１２参照）。
【００２９】
凹部４１は、図１０及び図１１に示すように、カバー部材３に向かって開口した部分で、閉状態で凸部３１が収容されるように凹設され、この凹部４１には、開閉方向と直交する方向である中継基板２の基板面とほぼ平行、かつ、封止ピン５が挿通可能に開口された第一開口部４１１と第二開口部４１２を形成してある。
第一開口部４１１と第二開口部４１２は、それぞれ挿通された封止ピン５の先端側と後端側に位置し、閉状態において、凸部３１（開口部３１１）は、これらの間に位置するようになっている。
【００３０】
また、凹部４１には、図１１及び図１２に示すように、スペース４１ａを設けてある。スペース４１ａは、第一開口部４１１に挿入される封止ピン５の先端部（後述の頭部５１）より長く形成され、このスペース４１ａにより、カバー部材３から分断されたカバー部材側封止部３０を第二開口部４１２側にスライドさせることで、第一開口部４１１と封止ピン５との係合が解除されるようになっている（後述）。
そして、カバー部材３とベース部材４との開状態である、図１１（ａ）に示す開状態から、図１１（ｂ）及び図１２（ａ）に示す閉状態にすると、第一開口部４１１と第二開口部４１２とこれらに挟まれるように配置された開口部３１１とがそれぞれ連通し、封止ピン５を挿通することができるようになる。
また、このとき凹部４１は、カバー部材側封止部３０が蓋となって、外部から遮蔽される。
【００３１】
封止ピン５は、ピン材の一例であり、各開口部３１１，４１１，４１２に挿通されることで、カバー部材３とベース部材４とを開閉不能に封止する閂（かんぬき）として機能する。
封止ピン５は、容易に破壊できない合成樹脂（例えば、ポリカーボネート）で形成され、図７に示すように、第一開口部４１１と係合する頭部５１と、弾性をもって撓む爪部５２と、係止部３１ｂに係止される首部５３と、開口部３１１と第二開口部４１２に係合する胴部５４とで構成されている。
このように構成された封止ピン５は、各開口部３１１，４１１，４１２に挿通されることで、以下のように、カバー部材３とベース部材４とを開閉不能に封止する。
【００３２】
まず、図１１（ｂ）及び図１２（ａ）に示すように、カバー部材３をベース部材４に重ねて閉状態とし、各開口部３１１，４１１，４１２を連通させる。
そして、第二開口部４１２に頭部５１を挿入し、さらに、図１１（ｃ）及び図１２（ｂ）に示すように、頭部５１が第一開口部４１１と係合するまで、封止ピン５を押し込む。これにより、封止ピン５は、各開口部３１１，４１１，４１２に亘って挿通される。
【００３３】
この状態で、例えば、カバー部材３を持ち上げて基板封止装置１を開放しようとする外力を加えると、第一開口部４１１の上面と頭部５１が当接し、凸部３１の底面３１ａと胴部５４先端側が当接し、さらに、第二開口部４１２の上面と胴部５４後端側が当接することで、封止ピン５が基板封止装置１の開放を妨げるように作用する。すなわち、封止ピン５が閂（かんぬき）として動作し、カバー部材３とベース部材４とを封止する。
【００３４】
さらに、各開口部３１１，４１１，４１２は、第一開口部４１１と第二開口部４１２が開口部３１１を挟むように配置されているため、封止ピン５による封止力が以下のように増大する。
封止ピン５は、基板封止装置１を開放しようとする外力に対して、第一開口部４１１と第二開口部４１２に両端支持された状態で、これらの間に位置する開口部３１１（例えば、底面３１ａ）から力を受けることになる。その結果、片端支持の場合のように、片端のみに外力が加わることがなく、封止ピン５全体に均等な力が加わるため、外力に対する耐性が格段に向上する。これにより、封止ピン５による封止力を増大させることができる。
【００３５】
さらに、この押し込められた状態にある封止ピン５は、これらの各開口部３１１，４１１，４１２から脱抜不能に係止されている。
具体的には、係止部３１ｂは各開口部３１１，４１１，４１２と比べて狭く形成されており、爪部５２は、押し込みに際して、この係止部３１ｂを弾性変形しながら通過し、係止部３１ｂを越えると、復元するようになっている。その結果、係止部３１ｂは爪部５２の端部と胴部５４との間に挟まれることになる。言い換えると、首部５３が係止部３１ｂに係止されて封止ピン５が脱抜不能となる。
この状態において、凹部４１はカバー部材側封止部３０によって外部と遮蔽されているため、爪部５２を外部から操作できないようになっている。
【００３６】
そして、このような状態にある中継基板２は、カバー部材３によって、外部から操作不能に遮断されるとともに、コネクタ２ａ−１は、これに接続された接続ケーブルのコネクタごとコネクタカバー３ｃで覆われ脱抜不能となる。これにより、中継基板２に対する「打ち込み機」などの不正部品の取り付けが防止される。
【００３７】
また、図５及び図８に示すように、カバー部材側封止部３０は、カバー部材３に接合部３２ａ，３２ｂを介して、カバー部材３と一体に形成されている。
接合部３２ａ，３２ｂは、ニッパーなどの切断工具で切断可能な梁状に形成され、この接合部３２ａ，３２ｂを切断すると、カバー部材側封止部３０が第二開口部４１２側にスライド可能となり、第一開口部４１１と封止ピン５（頭部５１）との係合が解除され、カバー部材３とベース部材４とを開封できるようになる（後述）。
言い換えると、カバー部材３の取り外しに際して接合部３２ａ，３２ｂの切断が要求され、この切断跡がカバー部材３を取り外した痕跡として残るので、中継基板２に対する不正行為の隠蔽が困難になるとともに、不正行為が行われても、切断跡の確認により、その事実を発見することが可能になる。
【００３８】
次に、基板封止装置１を開封する動作について、図１３を参照して説明する。
まず、図１３（ａ）に示すように、ニッパー等の切断工具を用いて、接合部３２ａ，３２ｂを切断する。
接合部３２ａ，３２ｂの切断により、カバー部材側封止部３０は、カバー部材３から分断されるため、これに伴い、カバー部材３は、カバー部材側封止部３０のみならず、ベース部材４との係わりもなくなる。これにより、カバー部材３を開放させ、中継基板２を取り出すことができる。
【００３９】
また、分断されたカバー部材側封止部３０を、図１３（ｂ）に示すように、矢印方向にスライドさせることで、カバー部材側封止部３０とベース部材側封止部４０とを以下のように分離することができる。
凹部４１には、第一開口部４１１に挿入された頭部５１を脱抜可能なスペース４１ａが設けられ、同図に示すように、カバー部材側封止部３０を第二開口部４１２側にスライドさせることで、第一開口部４１１と封止ピン５（頭部５１）との係合が解除される。
【００４０】
一方、第二開口部４１２は未だ封止ピン５の胴部５４と係合しているものの、図１３（ｃ）に示すように、分断されたカバー部材側封止部３０を矢印方向に操作可能であるため、カバー部材側封止部３０を係止した封止ピン５ごと凹部４１から取り出すことができ、カバー部材側封止部３０をベース部材側封止部４０から分離することができる。
【００４１】
そして、このように分離されたカバー部材側封止部３０から、封止ピン５を以下のように簡単に取り外すことができる。
具体的には、取り出したカバー部材側封止部３０において、ニッパー等の切断工具を用いて、底面３１ａなどを切断して、首部５３に係止した係止部３１ｂを切除するか、又は爪部５２に外力を加えて弾性変形させ、係止部３１ｂから脱抜することで、封止ピン５を切断・破壊することなく、カバー部材側封止部３０から簡単に取り外すことができる。
この封止ピン５は、基板封止装置１を再封止する際に利用することができる。
【００４２】
なお、検査等の目的で正規に基板封止装置１を開封する場合は、基板封止装置１を前扉１００ａから取り外した状態で開封作業が行われる。
そして、検査等が終了した後、カバー部材３を新品に交換し、基板封止装置１を再封止してから、前扉１００ａに再び取り付けられる。
【００４３】
次に、基板封止装置１における各封止部３０，４０の配置と、スロットマシン１００における基板封止装置１の配置について、図２〜図５を参照して説明する。
これらの図に示すように、本実施形態の基板封止装置１は、表示窓１５０を囲む窓枠として形成され、前扉１００ａの裏面側に所定のねじ等で取り付けられている。
この状態での各封止部３０，４０は、各部材３，４の左右両端部に位置するので、封止ピン５は、それぞれの封止部３０，４０に対して、当該装置外部から内部に向かう、ほぼ水平方向に沿った押し込み操作により各係止部３１ｂに係止されることになる。
このように、基板封止装置１は、左右に離間する二つの封止部３０，４０で封止されるので、封止ピン５による封止力がさらに増大されることになる。
また、各封止部３０，４０は、各部材３，４の左右両端部に水平方向に沿って形成されるので、カバー部材側封止部３０の接合部３２ａ，３２ｂを不正に切断した後、接着剤等で修復しようとしても、カバー部材側封止部３０の自重による下動で修復を妨げ、不正な開封の痕跡を残すことができる。
【００４４】
さらに、本実施形態の基板封止装置１は、スロットマシン１００において不正な開封を防止する位置に配置してある。
具体的には、図２及び図３に示すように、前扉１００ａの基体となる前扉ベース１１０には、裏面側に二つの側壁１１１が並列状に立設されており、基板封止装置１は、この二つの側壁１１１間に配置されるとともに、この二つの側壁１１１間の距離は、基板封止装置１の外形（左右幅）とほぼ同じ長さとしてある。
すなわち、側壁１１１の内側近傍に各封止部３０，４０を配置し、封止ピン５を不正に抜き差しするスペースを無くしてある。
具体的には、前述したように、接合部３２ａ，３２ｂを切断した後、第一開口部４１１に挿入された頭部５１を脱抜するためには、カバー部材側封止部３０を第二開口部４１２側にスライドさせる必要があるが、各封止部３０，４０を側壁１１１の内側近傍に配置したので、各封止部３０，４０と側壁１１１との間に手を挿入してスライドさせるスペースを無くすようにしてある。これにより、基板封止装置１の不正な開封をより困難にし、中継基板２に対する不正行為を防止することができる。
【００４５】
以上説明したように、本実施形態に係る基板封止装置１を備えるスロットマシン１００によれば、各部材３，４を介して封止ピン５に外力を加えても、極めて高い封止力により封止状態を保ち、各部材３，４の不正な開放を確実に防止することができるとともに、開封後に封止ピン５を取り出し、再利用することができる。
また、前扉１００ａの裏面に並列された二つの側壁１１１間の距離を、それらの間に配置する基板封止装置１の外形とほぼ同じ長さに形成したので、各封止部３０，４０の外側方において、封止ピン５を不正に抜き差しするスペースを無くすことができ、その結果、基板封止装置１の不正な開封をより困難にし、中継基板２に対する不正行為を防止することができる。
【００４６】
以上、本発明の基板封止装置を備える遊技機について、好ましい実施形態を示して説明したが、本発明に係る基板封止装置を備える遊技機は、上述した実施形態にのみ限定されるものではなく、本発明の範囲で種々の変更実施が可能であることはいうまでもない。
【００４７】
例えば、凹部４１内面をコの字状の金属板（例えば、ステンレス板）で覆うこともできる。これにより、ドリル等の穿孔工具を用いて、凹部４１底面を開口するとともに、爪部５２を操作して、封止ピン５を脱抜する行為を排除できる。
また、本実施形態では、中継基板２をベース部材４に固定したが、カバー部材３に固定することもできる。
また、本実施形態では、ベース部材４側の開口部４１１，４１２が、カバー部材３側の開口部３１１を挟むように配置したが、逆に、カバー部材３側に複数の開口部を設け、これらがベース部材４側の開口部を挟むように配置することもできる。
また、挟む側と挟まれる側の開口部の数は限定されず、幾つでもよく、一方の部材側の開口部が他方の部材側の開口部を挟むように配置されれば足りる。
【産業上の利用可能性】
【００４８】
本発明は、所定の基板を開閉不能に封止する基板封止装置を備える遊技機に広く利用することができる。
【符号の説明】
【００４９】
１  基板封止装置
２  中継基板
３  カバー部材
３０  カバー部材側封止部
３１  凸部
３１ａ  底面
３１ｂ  係止部
３１１  開口部
３２ａ，３２ｂ  接合部
４  ベース部材
４０  ベース部材側封止部
４１  凹部
４１１  第一開口部
４１２  第二開口部
５  封止ピン
１００  スロットマシン
１００ａ  前扉
１１０  前扉ベース
１１１  側壁
１４０  操作部
【図１】
0005403688.tif 000002
【図２】
0005403688.tif 000003
【図３】
0005403688.tif 000004
【図４】
0005403688.tif 000005
【図５】
0005403688.tif 000006
【図６】
0005403688.tif 000007
【図７】
0005403688.tif 000008
【図８】
0005403688.tif 000009
【図９】
0005403688.tif 000010
【図１０】
0005403688.tif 000011
【図１１】
0005403688.tif 000012
【図１２】
0005403688.tif 000013
【図１３】
0005403688.tif 000014